(57)【要約】【課題】ライブビュー機能と異物除去機能を備える撮像装置において、消費電力が過大になることを防止する。【解決手段】撮影レンズにより結像された被写体像を光電変換する撮像素子と、撮像素子と撮影レンズとの間に配置された光学部材と、光学部材の表面に付着した異物を除去する異物除去装置と、画像を表示する表示部と、撮像素子から得られる被写体像を表示部に逐次表示するライブビュー表示を行うライブビュー表示部と、ライブビュー表示の実行中に、異物除去装置の動作を禁止する制御部とを具備する【選択図】図４
2008118569.tif 000002
【特許請求の範囲】
【請求項１】
撮影レンズにより結像された被写体像を光電変換する撮像素子と、
前記撮像素子と前記撮影レンズとの間に配置された光学部材と、
前記光学部材の表面に付着した異物を除去する異物除去手段と、
画像を表示する表示手段と、
前記撮像素子から得られる被写体像を前記表示手段に逐次表示するライブビュー表示を行うライブビュー表示手段と、
前記ライブビュー表示の実行中に、前記異物除去手段の動作を禁止する制御手段と、
を具備することを特徴とする撮像装置。
【請求項２】
前記制御手段が前記異物除去手段の動作を禁止した場合に、前記異物除去手段の動作を禁止したことを撮影者に報知する報知手段をさらに具備することを特徴とする請求項１に記載の撮像装置。
【請求項３】
撮影レンズにより結像された被写体像を光電変換する撮像素子と、
前記撮像素子と前記撮影レンズとの間に配置された光学部材と、
前記光学部材の表面に付着した異物を除去する異物除去手段と、
画像を表示する表示手段と、
前記撮像素子から得られる被写体像を前記表示手段に逐次表示するライブビュー表示を行うライブビュー表示手段と、
前記ライブビュー表示の実行中に、撮影者により前記異物除去手段を動作させることが指示された場合に、前記ライブビュー表示を実行中に前記指示があった旨を撮影者に報知する画像を前記表示手段に表示させる制御手段と、
を具備することを特徴とする撮像装置。
【請求項４】
前記ライブビュー表示の実行中に、撮影者により前記異物除去手段を動作させることが指示された場合に、前記ライブビュー表示を継続するか中止するかを撮影者に選択させる選択手段をさらに具備することを特徴とする請求項３に記載の撮像装置。
【請求項５】
撮影レンズにより結像された被写体像を光電変換する撮像素子と、前記撮像素子と前記撮影レンズとの間に配置された光学部材と、前記光学部材の表面に付着した異物を除去する異物除去手段と、画像を表示する表示手段と、前記撮像素子から得られる被写体像を前記表示手段に逐次表示するライブビュー表示を行うライブビュー表示手段と、を備える撮像装置を制御する方法であって、
前記ライブビュー表示の実行中に、前記異物除去手段の動作を禁止する工程を具備することを特徴とする撮像装置の制御方法。
【請求項６】
撮影レンズにより結像された被写体像を光電変換する撮像素子と、前記撮像素子と前記撮影レンズとの間に配置された光学部材と、前記光学部材の表面に付着した異物を除去する異物除去手段と、画像を表示する表示手段と、前記撮像素子から得られる被写体像を前記表示手段に逐次表示するライブビュー表示を行うライブビュー表示手段と、を備える撮像装置を制御する方法であって、
前記ライブビュー表示の実行中に、撮影者により前記異物除去手段を動作させることが指示された場合に、前記ライブビュー表示を実行中に前記指示があった旨を撮影者に報知する画像を前記表示手段に表示させる工程を具備することを特徴とする撮像装置の制御方法。
【請求項７】
請求項５又は６に記載の制御方法をコンピュータに実行させることを特徴とするプログラム。
【発明の詳細な説明】
【技術分野】
【０００１】
本発明は、例えば一眼レフデジタルカメラに組み込まれている光学フィルタ等の、撮像素子の前方に配設された光学部材の表面に付着した塵埃等の異物を除去する技術に関するものである。
【背景技術】
【０００２】
デジタルカメラは、被写体像を写し込む媒体として、従来の銀塩フィルムの代わりにＣＣＤ、ＣＭＯＳセンサ等の撮像素子を用いている。撮像素子で得られた画像データを記憶媒体に記録し、同一の撮像素子で全ての駒の撮影を行なっている。
【０００３】
ところで、撮像素子は、所定の位置に固定的に配備され、従来の銀塩カメラのように、１駒の撮影を行なう毎に移動されることはない。従って、塵埃等の異物が撮像素子の撮像面に至る光路上、例えば撮像素子を保護するためのカバーガラスの所定領域に付着すると、その異物を除去しない限り、撮影した駒ごとに撮影画像に異物の像が映り込んでしまう。
【０００４】
そこで、この問題を解決するための技術として、撮像素子の被写体側に配置された光透過性の防塵部材を圧電素子で振動させることで、防塵部材の表面に付着した塵埃などの異物を除去する技術が知られている（特許文献１参照）。
【０００５】
一方、近年のデジタルカメラでは、撮像範囲を確認するための構造として、光学式のビューファインダを用いたものと、撮像素子により取り込んだ画像をカメラ背面部の液晶モニタに連続表示するライブビューモードを備えるものとが知られている。
【０００６】
上記のような異物の除去機能及びライブビュー機能は、ユーザにとってメリットが大きく、デジタルカメラにおいては今後広く採用される機能と考えられる。
【特許文献１】特開２００３−３１９２２２号公報
【発明の開示】
【発明が解決しようとする課題】
【０００７】
上述したライブビューモードは、撮影光学系を通過した被写体の光学像を撮像素子に受光させ、電気信号に変換した被写体像をカメラの背面部の液晶モニタに連続表示させるものである。ユーザは、このライブビュー画像を見ることで、被写体像を確認しながら撮影を行うことができる。しかし、このライブビューモードでは、撮像素子と背面部の液晶モニタとを連続的に長時間動作させることになるため、消費電力が大きくなる。
【０００８】
また、特許文献１に記載されているような防塵部材を圧電素子で振動させることにより防塵部材に付着した異物を除去する構成では、防塵部材への異物の付着力を上回る力で防塵部材を振動させる必要があり、大きなエネルギーを必要とする。すなわち、異物の除去のためにも大きな電力が必要となる。
【０００９】
そのため、ライブビュー動作と異物除去動作の動作タイミングが重複すると、カメラの電力負荷が過大になる場合があり、電力の供給が不安定となり、カメラに不具合が発生する可能性がある。
【００１０】
従って、本発明は上述した課題に鑑みてなされたものであり、その目的は、ライブビュー機能と異物除去機能を備える撮像装置において、消費電力が過大になることを防止することである。
【課題を解決するための手段】
【００１１】
上述した課題を解決し、目的を達成するために、本発明に係わる撮像装置は、撮影レンズにより結像された被写体像を光電変換する撮像素子と、前記撮像素子と前記撮影レンズとの間に配置された光学部材と、前記光学部材の表面に付着した異物を除去する異物除去手段と、画像を表示する表示手段と、前記撮像素子から得られる被写体像を前記表示手段に逐次表示するライブビュー表示を行うライブビュー表示手段と、前記ライブビュー表示の実行中に、前記異物除去手段の動作を禁止する制御手段と、を具備することを特徴とする。
【００１２】
また、本発明に係わる撮像装置は、撮影レンズにより結像された被写体像を光電変換する撮像素子と、前記撮像素子と前記撮影レンズとの間に配置された光学部材と、前記光学部材の表面に付着した異物を除去する異物除去手段と、画像を表示する表示手段と、前記撮像素子から得られる被写体像を前記表示手段に逐次表示するライブビュー表示を行うライブビュー表示手段と、前記ライブビュー表示の実行中に、撮影者により前記異物除去手段を動作させることが指示された場合に、前記ライブビュー表示を実行中に前記指示があった旨を撮影者に報知する画像を前記表示手段に表示させる制御手段と、を具備することを特徴とする。
【００１３】
また、本発明に係わる撮像装置の制御方法は、撮影レンズにより結像された被写体像を光電変換する撮像素子と、前記撮像素子と前記撮影レンズとの間に配置された光学部材と、前記光学部材の表面に付着した異物を除去する異物除去手段と、画像を表示する表示手段と、前記撮像素子から得られる被写体像を前記表示手段に逐次表示するライブビュー表示を行うライブビュー表示手段と、を備える撮像装置を制御する方法であって、前記ライブビュー表示の実行中に、前記異物除去手段の動作を禁止する工程を具備することを特徴とする。
【００１４】
また、本発明に係わる撮像装置の制御方法は、撮影レンズにより結像された被写体像を光電変換する撮像素子と、前記撮像素子と前記撮影レンズとの間に配置された光学部材と、前記光学部材の表面に付着した異物を除去する異物除去手段と、画像を表示する表示手段と、前記撮像素子から得られる被写体像を前記表示手段に逐次表示するライブビュー表示を行うライブビュー表示手段と、を備える撮像装置を制御する方法であって、前記ライブビュー表示の実行中に、撮影者により前記異物除去手段を動作させることが指示された場合に、前記ライブビュー表示を実行中に前記指示があった旨を撮影者に報知する画像を前記表示手段に表示させる工程を具備することを特徴とする。
【００１５】
また、本発明に係わるプログラムは、上記の制御方法をコンピュータに実行させることを特徴とする。
【発明の効果】
【００１６】
本発明によれば、ライブビュー機能と異物除去機能を備える撮像装置において、消費電力が過大になることを防止することが可能となる。
【発明を実施するための最良の形態】
【００１７】
以下、本発明の好適な実施形態について、添付図面を参照して詳細に説明する。
【００１８】
（第１の実施形態）
図１及び図２は、本発明の第１の実施形態に係わる一眼レフデジタルカメラの外観を示す図である。具体的には、図１はカメラ前方より見た斜視図であり、撮影レンズユニットを外した状態を示す。図２はカメラ背面側より見た斜視図である。
【００１９】
図１において、１はカメラ本体であり、撮影時に使用者がカメラを安定して握り易いように前方に突出したグリップ部１ａが設けられている。２はマウント部であり、着脱可能な撮影レンズユニット２００（図３参照）をカメラ本体１に固定させる。マウント接点２１を介して、カメラ本体１と撮影レンズユニット２００との間で制御信号、状態信号、データ信号などの通信を行うと共に、カメラ本体１から撮影レンズユニット２００への電力供給を行っている。また、マウント接点２１は電気通信のみならず、光通信、音声通信などを可能なように構成してもよい。
【００２０】
４は撮影レンズユニット２００を取り外す際に押し込むレンズロック解除釦である。５はカメラ本体１内に配置されたミラーボックスで、撮影レンズユニット２００を通過した撮影光束はここへ導かれる。
【００２１】
ミラーボックス５の内部には、メインミラー（クイックリターンミラー）６が配設されている。メインミラー６は、撮影光束をペンタプリズム２２（図３参照）の方向へ導くために撮影光軸に対して４５°の角度に保持される状態と、撮像素子３３（図３参照）の方向へ導くために撮影光束から退避した位置に保持される状態とに移動可能である。
【００２２】
カメラ本体１の上部のグリップ側には、撮影開始の起動スイッチとしてのシャッタボタン７と、撮影時の動作モードに応じてシャッタスピードやレンズ絞り値を設定するためのメイン操作ダイヤル８とが配置されている。また、撮影系の動作モードを設定するための動作モード設定ボタン１０も配置されている。これらの操作部材の操作結果の一部は、ＬＣＤ表示パネル９に表示される。
【００２３】
シャッタボタン７は、第１ストローク（半押し）でスイッチＳＷ１（７ａ）がＯＮし、第２ストローク（全押し）でスイッチＳＷ２（７ｂ）がＯＮする構成となっている。
【００２４】
また、動作モード設定ボタン１０は、シャッタボタン７の１回の押込みで連写になるか１コマのみの撮影となるかの設定や、セルフ撮影モードの設定などを行うものであり、ＬＣＤ表示パネル９にその設定状況が表示される。
【００２５】
カメラ本体１の上部中央には、カメラ本体に対してポップアップするストロボユニット１１と、ストロボ取付け用のシュー溝１２と、ストロボ接点１３とが配置されている。また、カメラ本体１の上部右寄りには撮影モード設定ダイヤル１４が配置されている。
【００２６】
カメラ本体１の右側面には、開閉可能な外部端子蓋１５が配置されており、この外部端子蓋１５を開けた内部には、外部インタフェースとしてビデオ信号出力用ジャック１６とＵＳＢ出力用コネクタ１７が納められている。
【００２７】
図２において、カメラ本体１の背面側には、光軸の上方にファインダ接眼窓１８が設けられており、更に背面中央には画像表示可能なカラー液晶表示部１９が設けられている。２０はカラー液晶表示部１９の横に配置されたサブ操作ダイヤルであり、メイン操作ダイヤル８の機能の補助的役割を担っている。そして、例えばカメラのＡＥモードでは自動露出装置により算出された適正露出値に対する露出補正量を設定するために使用される。あるいは、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定する。また、このサブ操作ダイヤル２０は、カラー液晶表示部１９に表示される撮影済み画像の表示選択手段としても用いられる。
【００２８】
４３はカメラの動作を起動もしくは停止するためのメインスイッチである。
【００２９】
４４はクリーニングモードを動作させるためのクリーニングモード操作部材であり、光学ローパスフィルタ４１０（図３参照）上に付着した塵埃等の異物をふるい落とす動作を指示するためのものである。
【００３０】
４５はライブビューモードを動作させるためのライブビューモード操作部材であり、撮像素子３３で生成された被写体の画像をカラー液晶表示部１９に連続表示する動作を指示するためのものである。
【００３１】
図３は、本実施形態に係わるデジタルカメラの主要な電気的構成を示すブロック図であり、図１及び図２と共通する部分には同一番号を付している。
【００３２】
図３において、１００はカメラ本体１に内蔵されたマイクロコンピュータからなる中央処理装置（以下、ＭＰＵという）である。なお、ＭＰＵ１００は、カメラの動作を制御するものであり、カメラの各構成要素に対して様々な処理の実行を指示する。
【００３３】
１００ａはＭＰＵ１００に内蔵されたＥＥＰＲＯＭであり、時計計測回路１０９の時計情報やその他の撮影情報を記憶可能である。
【００３４】
ＭＰＵ１００には、ミラー駆動部１０１、焦点検出回路１０２、シャッタ駆動部１０３、映像信号処理回路１０４、スイッチセンス回路１０５、測光回路１０６が接続されている。また、ＬＣＤ駆動回路１０７、バッテリチェック回路１０８、時刻計測回路１０９、電源供給回路１１０、圧電素子駆動回路１１１が接続されている。これらの要素はＭＰＵ１００の制御により動作するものである。
【００３５】
また、ＭＰＵ１００は、撮影レンズユニット２００内に配置されたレンズ制御回路２０１と、マウント接点２１を介して通信を行う。マウント接点２１は撮影レンズユニット２００が接続されるとＭＰＵ１００へ信号を送信する機能も備えている。これにより、レンズ制御回路２０１は、ＭＰＵ１００との間で通信を行い、撮影レンズユニット２００内の撮影レンズ２００ａ及び絞り２０４の駆動を、ＡＦ駆動部２０２及び絞り駆動部２０３を介して行うことが可能となる。
【００３６】
なお、本実施形態では便宜上撮影レンズ２００ａを１枚のレンズで示しているが、実際は多数のレンズ群により構成されている。
【００３７】
ＡＦ駆動部２０２は、たとえばステッピングモータによって構成され、レンズ制御回路２０１の制御によって撮影レンズ２００ａ内のフォーカスレンズ位置を変化させることにより、撮像素子３３に撮影光束の焦点を合わせるように調整する。２０３は絞り駆動部であり、たとえばオートアイリスなどによって構成され、レンズ制御回路２０１の制御によって絞り２０４を変化させ、光学的な絞り値を調節するように構成されている。
【００３８】
６はメインミラーであり、光学式ビューファインダを用いて撮影する場合、撮影レンズ２００ａにより集光された被写体光をペンタプリズム２２へ導くと共に、被写体光の一部を透過させ、サブミラー３０を介して焦点検出用センサユニット３１へと導く。また、ミラー駆動部１０１により、ファインダにて被写体像を観察可能な位置と、撮影時に被写体光束の光路から待避した位置とに移動される。
【００３９】
３１は、結像面近傍に配置されたフィールドレンズ、反射ミラー、２次結像レンズ、絞り、複数のＣＣＤから成るラインセンサ等から構成されている周知の位相差方式の焦点検出センサユニットである。
【００４０】
３０はメインミラー６を透過した被写体光を反射させて、焦点検出センサユニット３１へ導くためのサブミラーである。サブミラー３０は、メインミラー６またはメインミラー６のミラー駆動部１０１と連動する。ミラー駆動部１０１は、たとえばＤＣモータとギヤトレインなどから構成され、ＭＰＵ１００の制御によってメインミラー６やサブミラー３０を駆動する。
【００４１】
そして、サブミラー３０は、メインミラー６がファインダにて被写体像を観察可能な位置にあるときには、焦点検出用センサ３１へ被写体光を導く位置に、また撮影時には被写体光束の光路から待避した位置に移動する。
【００４２】
２２はペンタプリズムであり、メインミラー６によって導かれた被写体像を正立正像に変換反射する光学部材である。撮影レンズ２００ａを通過した被写体光束は、絞り２０４を通過してメインミラー６で反射され、ペンタプリズム２２に導かれ、ファインダ接眼窓１８に達する。撮影者は、ファインダ接眼窓１８を覗くことにより被写体像を観察することができる。さらに、被写体光は測光センサ３７へも導かれる。
【００４３】
また、メインミラー６を透過した光束はサブミラー３０で反射され、撮像素子３３の撮像面とほぼ等価な位置に置かれた焦点検出センサユニット３１の検出面上で再結像される。その光像は、電気的な画像信号に変換されて焦点検出回路１０２に供給される。
【００４４】
焦点検出回路１０２はＭＰＵ１００の指示に従い、焦点検出センサユニット３１の蓄積制御と読出し制御を行って、画素情報をＭＰＵ１００へ出力する。ＭＰＵ１００は焦点検出回路１０２からの画像信号に基づいて、位相差検出法による焦点検出演算を行う。そして、撮影レンズ２００ａによる結像面と予定結像面との差及び方向、すなわちデフォーカス量およびデフォーカス方向を求める。そして、ＭＰＵ１００は算出したデフォーカス量およびデフォーカス方向に基づいて、レンズ制御回路２０１、ＡＦ駆動部２０２を介して、撮影レンズ２００ａ内のフォーカスレンズを合焦位置まで移動させる。
【００４５】
３２はフォーカルプレーンシャッタからなる機械シャッタ装置であり、ファインダ観察時には被写体光束を遮る。また、撮影時にはレリーズ信号に応じて被写体光束の光路から待避して露光を開始させる先羽根群と、先羽根群の走行開始後所定のタイミングで被写体光束を遮光する後羽根群とを有する。機械シャッタ装置３２は、ＭＰＵ１００の指令を受けたシャッタ駆動部１０３によって駆動される。
【００４６】
本実施形態においては、機械シャッタ装置３２が先羽根群と後羽根群の両方を有している場合について説明した。しかし、遮蔽部材を１つだけとして露光を開始する場合は被写体光束の光路から退避し、撮影の終了後、再び被写体光束の光路を遮蔽する位置まで戻るような構成としてもよい。
【００４７】
３３は撮像素子で、２次元型撮像デバイスであるＣＭＯＳセンサが用いられている。ただし、撮像デバイスには、ＣＣＤ型、ＣＭＯＳ型およびＣＩＤ型など様々な形態があり、何れの形態の撮像デバイスを採用してもよい。本実施形態においては、ＣＭＯＳ型の撮像素子が採用されている。
【００４８】
３４はクランプ／ＣＤＳ（相関二重サンプリング）回路であり、Ａ／Ｄ変換する前の基本的なアナログ処理を行うとともに、クランプレベルの変更も可能である。３５はＡＧＣ（自動利得調整装置）であり、Ａ／Ｄ変換する前の基本的なアナログ処理を行うとともに、ＡＧＣ基本レベルの変更も可能である。３６はＡ／Ｄ変換器であり、撮像素子３３のアナログ出力信号をデジタル信号に変換する。
【００４９】
１０４は映像信号処理回路であり、デジタル化された撮像素子３３からの画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１１２を介してカラー液晶表示部１９に表示される。これらの機能の切換えは、ＭＰＵ１００とのデータ交換により行われ、必要に応じて撮像素子３３の出力信号のホワイトバランス情報をＭＰＵ１００に出力可能であり、その情報を基にＭＰＵ１００はホワイトバランス調整やゲイン調整を行う。
【００５０】
電子式ライブビュー機能を用いて撮影を行う場合、撮影レンズ２００ａにより結像された被写体像は撮像素子３３により光電変換される。そして、撮像素子３３から出力された画像信号は、映像信号処理回路１０４により処理され、カラー液晶駆動回路１１２を介して背面部のカラー液晶表示部１９に連続表示される。撮影者は、このカラー液晶表示部１９に表示される被写体像を確認しながら撮影を行うことが可能である。
【００５１】
また、ＭＰＵ１００の指示により、何もせずにメモリコントローラ３８を通じて、バッファメモリ３７に画像データを保存することも可能である。また、映像信号処理回路１０４は、ＪＰＥＧなどの圧縮処理を行う機能も有している。また、連写の場合は一旦、バッファメモリ３７に画像データを格納し、処理時間がかかる場合にメモリコントローラ３８を通して未処理の画像データを読み出し、映像信号処理回路１０４で画像処理や圧縮処理を行い、連写スピードを稼ぐこともできる。連写枚数は、バッファメモリ３７の容量に大きく左右される。
【００５２】
メモリコントローラ３８では、映像信号処理回路１０４から出力された未処理のデジタル画像データをバッファメモリ３７に格納する。そして、処理済みのデジタル画像データをメモリ３９に格納したり、あるいはその逆にバッファメモリ３７やメモリ３９から画像データを映像信号処理回路１０４に出力したりする。また、メモリコントローラ３８は、外部インタフェース４０（図１におけるビデオ信号出力用ジャック１６、ＵＳＢ出力用コネクタ１７に相当する）から送られてくる画像データをメモリ３９に記憶することも可能である。また、メモリ３９に記憶されている画像データを外部インタフェース４０から出力することも可能である。なお、メモリ３９は、カメラ本体１に対して取外しが可能である。
【００５３】
１０５はスイッチセンス回路であり、各スイッチの操作状態に応じて各部を制御する。７ａはシャッタボタン７の第１ストローク（半押し）によりオンするスイッチＳＷ１である。７ｂはシャッタボタン７の第２ストローク（全押し）によりオンするスイッチＳＷ２である。スイッチＳＷ２がオンされると、撮影動作が開始される。また、メイン操作ダイヤル８、サブ操作ダイヤル２０、撮影モード設定ダイヤル１４、メインスイッチ４３、クリーニングモード操作部材４４、ライブビューモード操作部材４５が接続されていて、各スイッチの状態をＭＰＵ１００へ送信する。
【００５４】
なお、スイッチセンス回路１０５とメインスイッチ４３とＭＰＵ１００とから電源スイッチが構成されている。また、電源スイッチがＯＮされたことが検出されると、電源４２からカメラ本体１へ給電が開始される。
【００５５】
１０６は測光回路であり、画面内の各エリアの輝度信号として、測光センサ３７からの出力をＭＰＵ１００に出力する。ＭＰＵ１００は輝度信号をＡ／Ｄ変換し、撮影の露出を算出する。
【００５６】
１０７は液晶表示駆動回路であり、ＭＰＵ１００の表示命令に従って、ＬＣＤ表示パネル９やファインダ内液晶表示器４１を駆動する。また液晶表示駆動回路１０７は、ＭＰＵ１００の指示により特定のセグメントを点滅表示状態にすることが可能である。なお、液晶表示駆動回路１０７とＬＣＤ表示パネル９とから表示手段が構成され、さらに、液晶表示駆動回路１０７とＭＰＵ１００とから表示制御手段が構成されている。
【００５７】
１０８はバッテリチェック回路であり、ＭＰＵ１００からの信号に従って、所定時間バッテリチェックを行い、その検出出力をＭＰＵ１００へ送る。なお、バッテリチェック回路１０８とＭＰＵ１００とからバッテリチェック手段が構成されている。
【００５８】
１０９は時刻計測回路でメインスイッチ４３がＯＦＦされて次にＯＮされるまでの時間や日付を計測し、ＭＰＵ１００からの指令により、計測結果をＭＰＵ１００へ送信することができる。なお、時刻計測回路１０９とＭＰＵ１００とから、計測手段が構成されている。
【００５９】
４２は電源部であり、各ＩＣ（集積回路）や駆動系に必要な電源を供給する。
【００６０】
４１０は水晶からなる複屈折板と位相板と複屈折板を複数枚貼り合わせて積層した光学ローパスフィルタで、４３０は積層型の圧電素子である。圧電素子４３０は、ＭＰＵ１００から指令を受けた圧電素子駆動回路１１１により加振され、その振動を光学ローパスフィルタ４１０に伝える。４００は、光学ローパスフィルタ４１０、圧電素子４３０、撮像素子３３とがユニット化された撮像ユニットである。振動させる光学部品としてローパスフィルタ４１０を例示したが、本発明はこれに限定されるものではなく、撮像素子３３の前方に配置されている他の光学部品であってもよい。例えば、撮像素子保護のためのカバーガラスであっても良い。
【００６１】
図４は、本実施形態のデジタルカメラのＭＰＵ１００による制御処理を説明するフローチャートである。
【００６２】
カメラ本体１内のＭＰＵ１００の動作は、カメラ本体１の電源スイッチであるメインスイッチ４３がオンされると開始され、まず、ライブビューモード操作部材４５が撮影者により操作されているかどうかを判別する（ステップＳ１０１）。その結果、ライブビューモード操作部材４５が操作されていない状態であれば、ステップＳ１０７に進む。
【００６３】
一方、ライブビューモード操作部材４５が操作されている状態であれば、ＭＰＵ１００は、ライブビューモードの起動指示を認識し、電源供給回路１１０から必要な電力を供給する（ステップＳ１０２）。
【００６４】
ライブビューモードを起動後、ＭＰＵ１００は、クリーニングモード操作部材４４が操作されているかどうかを判別する（ステップＳ１０３）。
【００６５】
ステップＳ１０３で、クリーニングモード操作部材４４が操作されていない状態であれば、ステップＳ１０４、ステップＳ１０５をスキップしてステップＳ１０６へ進む。
【００６６】
一方、ステップＳ１０３でクリーニングモード操作部材４４が操作されていた場合、ステップＳ１０４でＭＰＵ１００は、光学ローパスフィルタ４１０上の異物を除去するクリーニング動作を禁止する。すなわち、圧電素子４３０を駆動しないようにする（ステップＳ１０４）。これは、多くの電力を消費しているライブビューモードにおいて、さらにクリーニング動作を行うと、消費電力が過大になり、カメラ本体１の動作が不安定になる可能性があるからである。そして、ＭＰＵ１００は、カラー液晶表示部１９にクリーニング動作を禁止した旨を撮影者に知らせる画像を一時的に表示する。これにより、撮影者にクリーニング動作が禁止されたことを知らせると共に、クリーニングモード操作部材４４の操作を行わないように警告する（ステップＳ１０５）。警告の方法としては、例えばブザーで警告音を発する方法なども挙げられる。警告を発した後に、ステップＳ１０６に進む。
【００６７】
ステップＳ１０６では、ＭＰＵ１００は、ミラー駆動部１０１を制御して、メインミラー６をアップさせて撮影レンズ２００ａの光路上から退避した位置に移動させる。また、同時にシャッタ駆動部１０３を制御して、機械シャッタ装置３２の先幕を走行させて機械シャッタ装置３２を開いた状態とする。これにより、撮影レンズ２００ａからの被写体光が撮像素子３３に入射するようになり、撮像素子３３は被写体光を光電変換し、生成された画像信号が逐次カラー液晶表示部１９に表示される。これにより、ライブビューモードの動作が実現される。撮影者は、ライブビュー画像を見ながら構図を決め、撮影を行う。
【００６８】
なお、本実施形態では、ライブビューモード操作部材４５を設けたが、本発明はこれに限定されるものではなく、ライブビューモードへの移行を指示するための操作部材は、例えば機械的なボタンやスイッチ等であってもよい。或いは、カラー液晶表示部１９に表示されたメニューからカーソルキーや指示ボタンなどを用いて設定するものであっても良い。また、撮影者はライブビュー動作を終了する場合は、ライブビューモード操作部材４５を操作し、撮影終了のステップＳ１１０に進む。
【００６９】
一方、ステップＳ１０７では、クリーニングモード操作部材４４が操作されたか否かを判別する。ステップＳ１０７でクリーニングモード操作部材４４が操作されていた場合には、クリーニングモードを実行するために、ステップＳ１０８へ進む。一方、ステップＳ１０７でクリーニングモード操作部材４４が操作されていない状態であれば、ステップＳ１０８をスキップしてステップＳ１０９へ進む。
【００７０】
ステップＳ１０８では、ＭＰＵ１００は、クリーニングモードの指令信号を受け取ると、圧電素子駆動回路１１１に駆動信号を送る。電力供給回路１１０は、クリーニングモードに必要な電力を、カメラ本体１の各部へ必要に応じて供給する。そして、圧電素子駆動回路１１１は、ＭＰＵ１００からの駆動信号を受け取ると、圧電素子４３０を駆動するための周期電圧を生成する。このように圧電素子４３０に対して周期的な電圧を印加することで、光学ローパスフィルタ４１０が加振され、光学ローパスフィルタ４１０の表面に付着した異物が除去される。その後、ステップＳ１０９に進む。
【００７１】
ステップＳ１０９では、従来のデジタルカメラと同じく、撮影レンズ２００ａにより結像された被写体像がペンタプリズム２２へ導かれ、撮影者は光学ビューファインダにて被写体像を観察しながら撮影を行う。
【００７２】
なお、本実施形態では、クリーニングモード操作部材４４を設けたが、本発明はこれに限定されるものではなく、クリーニングモードへの移行を指示するための操作部材は、例えば機械的なボタンやスイッチ等であってもよい。或いはカラー液晶表示部１９に表示されたメニューからカーソルキーや指示ボタンなどを用いて設定するものであっても良い。更に、ユーザによる操作部材の操作に限らず、例えばライブビュー動作中でなければ撮影動作の直後に自動的にクリーニングモードを実行するような動作を禁止しても良い。つまり、撮影シーケンス上のクリーニングモードの自動処理についても、ライブビュー動作中であれば禁止するように構成しても良い。また、撮影者は撮影動作を終了する場合は、撮影終了のステップＳ１１０に進む。
【００７３】
以上説明したように本実施形態によれば、カメラ本体の電力負荷の過多によるカメラの不具合を防ぐため、ライブビュー動作中のクリーニングモードの動作受付を禁止するので、デジタルカメラの安定した動作を保証することができる。
【００７４】
（第２の実施形態）
この第２の実施形態では、デジタルカメラの構成は第１の実施形態と同様であるため、その説明を省略する。第２の実施形態では、その動作が第１の実施形態と異なる。
【００７５】
図５は、本実施形態のデジタルカメラのＭＰＵ１００による制御処理を説明するフローチャートである。
【００７６】
カメラ本体１内のＭＰＵ１００の動作は、カメラ本体１の電源スイッチであるメインスイッチ４３がオンされると開始され、まずライブビューモード操作部材４５が撮影者により操作されているかどうかを判別する（ステップＳ２０１）。その結果、ライブビューモード操作部材４５が操作されていない状態であれば、ステップＳ２０７に進む。
【００７７】
一方、ライブビューモード操作部材４５が操作されている状態であれば、ＭＰＵ１００は、ライブビューモードの起動指示を認識し、電源供給回路１１０から必要な電力を供給する（ステップＳ２０２）。
【００７８】
ライブビューモードを起動後、ＭＰＵ１００は、クリーニングモード操作部材４４が操作されているかどうかを判別する（ステップＳ２０３）。
【００７９】
ステップＳ２０３で、クリーニングモード操作部材４４が操作されていない状態であれば、ステップＳ２０４、ステップＳ２０５をスキップしてステップＳ２０６へ進む。
【００８０】
一方、ステップＳ２０３でクリーニングモード操作部材４４が操作されていた場合、ステップＳ２０４でＭＰＵ１００は、カラー液晶表示部１９にクリーニングモード操作部材４４が操作されたことを図６に示すように表示する。撮影者は、図６の画面から、ライブビュー動作を継続するか、クリーニングモードを実行するためにライブビュー動作を中止するかを選択する。
【００８１】
これは、多くの電力を消費しているライブビューモードにおいて、さらにクリーニング動作を行うと、消費電力が過大になり、カメラ本体１の動作が不安定になる可能性があるからである。そのため、ＭＰＵ１００は、撮影者にライブビュー動作を継続するか、ライブビュー動作を中止してクリーニング動作を実行するかを選択させる画面を表示する。
【００８２】
図６の画面から、撮影者がライブビュー動作を継続することを選択すると、ステップＳ２０６に進み、クリーニング動作の実行を選択すると、ステップＳ２０８に進む。
【００８３】
ステップＳ２０６では、ＭＰＵ１００は、ミラー駆動部１０１を制御して、メインミラー６をアップさせて撮影レンズ２００ａの光路上から退避した位置に移動させる。また、同時にシャッタ駆動部１０３を制御して、機械シャッタ装置３２の先幕を走行させて機械シャッタ装置３２を開いた状態とする。これにより、撮影レンズ２００ａからの被写体光が撮像素子３３に入射するようになり、撮像素子３３は被写体光を光電変換し、生成された画像信号が逐次カラー液晶表示部１９に表示される。これにより、ライブビューモードの動作が実現される。撮影者は、ライブビュー画像を見ながら構図を決め、撮影を行う。
【００８４】
なお、本実施形態では、ライブビューモード操作部材４５を設けたが、本発明はこれに限定されるものではなく、ライブビューモードへの移行を指示するための操作部材は、例えば機械的なボタンやスイッチ等であってもよい。或いは、カラー液晶表示部１９に表示されたメニューからカーソルキーや指示ボタンなどを用いて設定するものであっても良い。また、撮影者はライブビュー動作を終了する場合は、ライブビューモード操作部材４５を操作し、撮影終了のステップＳ２１０に進む。
【００８５】
一方、ステップＳ２０７では、クリーニングモード操作部材４４が操作されたか否かを判別する。ステップＳ２０７でクリーニングモード操作部材４４が操作されていた場合には、クリーニングモードを実行するために、ステップＳ２０８へ進む。一方、ステップＳ２０７でクリーニングモード操作部材４４が操作されていない状態であれば、ステップＳ２０８をスキップしてステップＳ２０９へ進む。
【００８６】
ステップＳ２０８では、ＭＰＵ１００は、クリーニングモードの指令信号を受け取ると、圧電素子駆動回路１１１に駆動信号を送る。電力供給回路１１０は、クリーニングモードに必要な電力を、カメラ本体１の各部へ必要に応じて供給する。そして、圧電素子駆動回路１１１は、ＭＰＵ１００からの駆動信号を受け取ると、圧電素子４３０を駆動するための周期電圧を生成する。このように圧電素子４３０に対して周期的な電圧を印加することで、光学ローパスフィルタ４１０が加振され、光学ローパスフィルタ４１０の表面に付着した異物が除去される。その後、ステップＳ２０９に進む。
【００８７】
ステップＳ２０９では、従来のデジタルカメラと同じく、撮影レンズ２００ａにより結像された被写体像がペンタプリズム２２へ導かれ、撮影者は光学ビューファインダにて被写体像を観察しながら撮影を行う。
【００８８】
なお、本実施形態では、クリーニングモード操作部材４４を設けたが、本発明はこれに限定されるものではなく、クリーニングモードへの移行を指示するための操作部材は、例えば機械的なボタンやスイッチ等であってもよい。或いはカラー液晶表示部１９に表示されたメニューからカーソルキーや指示ボタンなどを用いて設定するものであっても良い。また、撮影者は撮影動作を終了する場合は、撮影終了のステップＳ２１０に進む。
【００８９】
以上説明したように本実施形態においては、カメラ本体の電力負荷の過多によるカメラの不具合を防ぐため、ライブビュー動作中のクリーニングモード受付であることを確認できるようにしている。これにより、ライブビューの動作を継続するか中止してクリーニング動作を実行するかを選択することができ、デジタルカメラの安定した動作を保証することが可能となる。
【００９０】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【００９１】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【００９２】
本発明を上記記憶媒体に適用する場合、その記憶媒体には、先に説明した手順に対応するプログラムコードが格納されることになる。
【図面の簡単な説明】
【００９３】
【図１】本発明の第１の実施形態に係わる一眼レフデジタルカメラの外観を示す図である。
【図２】本発明の第１の実施形態に係わる一眼レフデジタルカメラの外観を示す図である。
【図３】第１の実施形態に係わるデジタルカメラの主要な電気的構成を示すブロック図である。
【図４】第１の実施形態のデジタルカメラの制御処理を説明するフローチャートである。
【図５】第２の実施形態のデジタルカメラの制御処理を説明するフローチャートである。
【図６】第２の実施形態におけるライブビュー動作中にクリーニング動作が指示された場合の表示画面を示す図である。
【符号の説明】
【００９４】
１  カメラ本体
１ａ  グリップ部
２  マウント
４  レンズロック解除ボタン
５  ミラーボックス
６  メインミラー
７  シャッタボタン
８  メインダイヤル
９  ＬＣＤ表示パネル
１０  動作モード設定ボタン
１１  ストロボユニット
１２  シュー溝
１３  ストロボ接点
１４  撮影モード設定ダイヤル
１５  外部端子蓋
１６  ビデオ信号出力用ジャック
１７  ＵＳＢ出力用コネクタ
１８  ファインダー接眼窓
１９  カラー液晶表示部
２０  サブ操作ダイヤル
２１  マウント接点
３２  機械シャッタ装置
３３  撮像素子
【図１】
2008118569.tif 000003
【図２】
2008118569.tif 000004
【図３】
2008118569.tif 000005
【図４】
2008118569.tif 000006
【図５】
2008118569.tif 000007
【図６】
2008118569.tif 000008